(57)【要約】【課題】  未使用時にはフラットに折り畳めることができて非常にコンパクトで携帯性に優れ、かつ使用時には袋の口部を筒状に安定して保持することができ、しかも構造が簡単で製造コストの低減をも期すことのできるトイレ袋を提供する。【解決手段】  非透水性の材質よりなる袋１の開口上部２に、適度の可撓性および保形性を有し、開口上部２の少なくとも一部を囲むシート材よりなる口体７を設け、同口体７は中央折り線５にて開口上部２を開閉する方向に開きまたは閉じられる左右の翼体６を有し、かつ、中央折り線５の途中を始点とし、各翼体６の上縁へ向って中央折り線５を軸としてほぼ対象に斜めに延びる折り込み線１０を有し、さらに、同折り込み線１０の各翼体６上縁に位置する各終点の間における同上縁に続けて、中央折り線５に続く第２の中央折り線１３にて翼体６とともに開閉する左右の舌片１４を設けて構成した。【選択図】  図２
2010284272.tif 000002
【特許請求の範囲】
【請求項１】
非透水性の材質よりなる袋の開口上部に、適度の可撓性および保形性を有し、前記開口上部の少なくとも一部を囲むシート材よりなる口体を設け、同口体は中央折り線にて前記開口上部を開閉する方向に開きまたは閉じられる左右の翼体を有し、かつ、前記中央折り線の途中を始点とし、各翼体の上縁へ向って中央折り線を軸としてほぼ対象に斜めに延びる折り込み線を有し、さらに、同折り込み線の各翼体上縁に位置する各終点の間における同上縁に続けて、前記中央折り線に続く第２の中央折り線にて前記翼体とともに開閉する左右の舌片を設けて構成してなるトイレ袋。
【請求項２】
前記中央折り線、第２の中央折り線および折り込み線を、すべて山折り線で構成してなる請求項１に記載のトイレ袋。
【請求項３】
前記各翼体に、前記中央折り線とほぼ平行をなす第２の折り線を設けて構成してなる請求項１に記載のトイレ袋。
【請求項４】
前記第２の折り線を山折り線で構成してなる請求項３に記載のトイレ袋。
【請求項５】
前記第２の折り線の上端における口体の上縁に、切り欠きを設けて構成してなる請求項３に記載のトイレ袋。
【請求項６】
前記袋の開口上部における口体下方の相対する内面に、係脱可能な雌条と雄条よりなるシール用の直線ファスナを袋の横幅一杯に設けて構成してなる請求項１に記載のトイレ袋。
【請求項７】
前記直線ファスナは、前記口体下縁と同下方の、前記各翼体を最大に開いた時の各翼体間の最大寸法における略１／２の範囲内に設けて構成してなる請求項７に記載のトイレ袋。
【請求項８】
前記袋の内部に、尿を吸収する吸水剤を収容してなる請求項１に記載のトイレ袋。
【請求項９】
前記口体を厚紙で構成してなる請求項１に記載のトイレ袋。
【請求項１０】
非透水性の材質よりなる袋の開口上部に、適度の可撓性および保形性を有し、前記開口上部の少なくとも一部を囲むシート材よりなる口体を設け、同口体は中央折り線にて前記開口上部を開閉する方向に開きまたは閉じられる左右の翼体を有し、また、前記袋の開口上部における口体下方の相対する内面に、係脱可能な雌条と雄条よりなるシール用の直線ファスナを袋の横幅一杯に設け、かつ同直線ファスナは、前記口体下縁と同下方の、前記各翼体を最大に開いた時の各翼体間の最大寸法における略１／２の範囲内に設けて構成してなるトイレ袋。
【請求項１１】
前記中央折り線の途中を始点とし、各翼体の上縁へ向って中央折り線を軸としてほぼ対象に斜めに延びる折り込み線を有し、かつ、同折り込み線の各翼体上縁に位置する各終点の間における同上縁に続けて、前記中央折り線に続く第２の中央折り線にて前記翼体とともに開閉する左右の舌片を設けて構成してなる請求項１１に記載のトイレ袋。
【請求項１２】
前記中央折り線、第２の中央折り線および折り込み線を、すべて山折り線で構成してなる請求項１２に記載のトイレ袋。
【請求項１３】
前記各翼体に、前記中央折り線とほぼ平行をなす第２の折り線を設けて構成してなる請求項１１に記載のトイレ袋。
【請求項１４】
前記第２の折り線を山折り線で構成してなる請求項１４に記載のトイレ袋。
【請求項１５】
前記第２の折り線の上端における口体の上縁に、切り欠きを設けて構成してなる請求項１４に記載のトイレ袋。
【請求項１６】
前記袋の内部に、尿を吸収する吸水剤を収容してなる請求項１１に記載のトイレ袋。
【請求項１７】
前記口体を厚紙で構成してなる請求項１１に記載のトイレ袋。
【発明の詳細な説明】
【技術分野】
【０００１】
本発明は、道路渋滞時等に車輌内で使用できるトイレ袋に関し、より詳しくは、尿を確実に収容して廃棄するのに好適な携帯用トイレ袋に関する。
【背景技術】
【０００２】
小さな子供を連れて自動車で遊びに行く時、道路渋滞等によって所望の時にトイレ休憩をできない場合を考えて、自動車内で使用できるトイレ袋を携帯することがある。
【０００３】
このトイレ袋は、自動車の停車時や走行時に係わりなく尿を確実に収容できるようにするため、袋の口部を確実に開いた状態で保持できるよう袋の口部にある程度の保形性を維持できる筒状の口体を設けたものがある（例えば、特許文献１参照）。
【０００４】
また、トイレ袋は自動車内で使用するだけでなく、外出した時に使用する場合もあることから、トイレ袋にはコンパクトで携帯性が良好であることが求められ、さらにこの要望は物流コストの点からも市場の要望が高いため、前述する袋の口部に設ける口体を折り畳めるように構成しているものもある（例えば、特許文献２参照）。
【０００５】
しかしながら、未使用時の携帯性と使用時における袋の口部の保形性を高い次元で兼ね備えるものは実用化されていなかった。
【先行技術文献】
【特許文献】
【０００６】
【特許文献１】実公昭６２−３１４４号公報（第１、２頁、図１、２）
【特許文献２】特許第３５４４３６７号公報（第１〜１０頁、図１〜１５）
【発明の概要】
【発明が解決しようとする課題】
【０００７】
本発明の目的とするところは、未使用時にはフラットに折り畳むことができて非常にコンパクトで携帯性に優れ、かつ使用時には袋の口部を筒状に安定して保持することができ、しかも構造が簡単で製造コストの低減をも期すことのできるトイレ袋を提供できるようにすることにある。
【課題を解決するための手段】
【０００８】
上述した課題を解決するために、本発明に係るトイレ袋は、非透水性の材質よりなる袋の開口上部に、適度の可撓性および保形性を有し、前記開口上部の少なくとも一部を囲むシート材よりなる口体を設け、同口体は中央折り線にて前記開口上部を開閉する方向に開きまたは閉じられる左右の翼体を有し、かつ、前記中央折り線の途中を始点とし、各翼体の上縁へ向って中央折り線を軸としてほぼ対象に斜めに延びる折り込み線を有し、さらに、同折り込み線の各翼体上縁に位置する各終点の間における同上縁に続けて、前記中央折り線に続く第２の中央折り線にて前記翼体とともに開閉する左右の舌片を設けて構成したものとしてある。
【０００９】
また、前記中央折り線、第２の中央折り線および折り込み線を、すべて山折り線で構成したものとしてある。
【００１０】
また、前記各翼体に、前記中央折り線とほぼ平行をなす第２の折り線を設けて構成し、また前記第２の折り線を山折り線で構成し、また前記第２の折り線の上端における口体の上縁に、切り欠きを設けて構成したものとしてある。
【００１１】
また、前記袋の開口上部における口体下方の相対する内面に、係脱可能な雌条と雄条よりなるシール用の直線ファスナを袋の横幅一杯に設け、また前記直線ファスナは、前記口体下縁と同下方の、前記各翼体を最大に開いた時の各翼体間の最大寸法における略１／２の範囲内に設けて構成したものとしてある。
【００１２】
また、前記袋の内部に、尿を吸収する吸水剤を収容したものとしてある。
【００１３】
さらに、前記口体を厚紙で構成したものとしてある。
【００１４】
トイレ袋を、非透水性の材質よりなる袋の開口上部に、適度の可撓性および保形性を有し、前記開口上部の少なくとも一部を囲むシート材よりなる口体を設け、同口体は中央折り線にて前記開口上部を開閉する方向に開きまたは閉じられる左右の翼体を有し、また、前記袋の開口上部における口体下方の相対する内面に、係脱可能な雌条と雄条よりなるシール用の直線ファスナを袋の横幅一杯に設け、かつ同直線ファスナは、前記口体下縁と同下方の、前記各翼体を最大に開いた時の各翼体間の最大寸法における略１／２の範囲内に設けて構成したものとしてある。
【００１５】
また、前記中央折り線の途中を始点とし、各翼体の上縁へ向って中央折り線を軸としてほぼ対象に斜めに延びる折り込み線を有し、かつ、同折り込み線の各翼体上縁に位置する各終点の間における同上縁に続けて、前記中央折り線に続く第２の中央折り線にて前記翼体とともに開閉する左右の舌片を設けて構成し、また前記中央折り線、第２の中央折り線および折り込み線を、すべて山折り線で構成したものとしてある。
【００１６】
また、前記各翼体に、前記中央折り線とほぼ平行をなす第２の折り線を設けて構成し、また前記第２の折り線を山折り線で構成し、また前記第２の折り線の上端における口体の上縁に、切り欠きを設けて構成したものとしてある。
【００１７】
また、前記袋の内部に、尿を吸収する吸水剤を収容したものとしてある。
【００１８】
さらに、前記口体を厚紙で構成したものとしてある。
【発明の効果】
【００１９】
本発明に係る携帯用トイレ袋によれば、未使用時には翼体と一緒にフラットに折り畳んでコンパクトな状態にしておくことができて携帯性に優れ、しかも使用時には、中央折り線、第２の中央折り線および第２の折り線において翼体がスムースに筒状に広がることができる。
【００２０】
また、翼体の上縁に続けて設けた舌片を袋の内側または外側に向けて折り込むことにより、口体の左右の翼体が離間された状態で維持され、したがって袋の開口上部を開いた状態で安定よろしく維持することができる。
【００２１】
さらに、折込み線と翼体の上縁で囲まれる片部を袋の内側向けて折り曲げることもできるので、同片部の折り曲げ使用とともに、片部上方に続けて設けた舌片を袋の内側または外側に向けて折り曲げ使用することにより、例えば、舌片を袋の内側に向けて折り曲げて使用することで尿の跳ね返りを低減でき、また、袋の外側に向けて折り曲げ使用すれば、幼児に使用させる場合に第三者が同袋を保持する摘み部として利用することもでき、したがって、舌片、片部を適宜に操作することによって袋の開口部に設けた口体の一部を使用者に適する形状に変形させたり、また、第三者によるトイレ袋の保持用摘みとしても利用できて、トイレ袋を使用する際の自由度が高い。
【００２２】
そして、トイレ袋の使用後においては、舌片、片部を元の状態に戻すだけで簡単に口体部分を折り畳むことができる。
【００２３】
また、直線ファスナを、口体下縁と同下方の、各翼体を最大に開いた時の各翼体間の最大寸法における略１／２の範囲内に配設することによって、直線ファスナのほぼ中央を完全に係合しないで少々間隙を開けて同直線ファスナを閉じるようにすれば、トイレ袋における直線ファスナの長手方向における口体の両端を同直線ファスナの中央に向けて撓ませることによって袋の口を即座に開口させることができ、したがって、緊急に使用したい時でも慌てることなくトイレ袋を開口させて使用することができる。
【図面の簡単な説明】
【００２４】
【図１】本発明に係るトイレ袋の実施例を示す正面図。
【図２】口体を開いた状態を示す斜視図。
【図３】舌片を操作して変形させた状態を示す斜視図。
【図４】舌片を操作して変形させた状態を示す斜視図。
【図５】舌片と片部を操作して変形させた状態を示す斜視図。
【図６】図１のＡ−Ａ線断面図。
【図７】直線ファスナを閉じた状態を示す拡大断面図。
【図８】口体の展開図。
【図９】口体を開いた状態を示す斜視図。
【図１０】吸水剤を収容したトイレ袋の実施例を示す正面図。
【図１１】トイレ袋の平面図。
【発明を実施するための形態】
【００２５】
以下、本発明に係るトイレ袋の実施例を、添付図面に示す具体例に基づいて詳細に説明する。
【００２６】
袋１は、例えば合成樹脂等の非透水性の素材よりなる２枚のシートの両側部および下部の三方をヒートシール（ヒートシール部４）して形成したものとしてあって、開口上部２の内面には、係脱可能な雌条３ａと雄条３ｂよりなるシール用の直線ファスナ３を袋の横幅一杯に設けてある。
【００２７】
前記直線ファスナ３の上部には、中央折り線５で二つ折りに形成された左右の翼体６、６と、同翼体６、６の中央上方に続く、前記中央折り線５に続く第２の中央折り線１３で二つ折りに形成された左右の舌片１４、１４を備える例えば厚紙よりなる口体７を取り付けてあって、袋１の開口上部２と翼体６、６および舌片１４、１４が一体となって開閉されるように構成してある。
【００２８】
また、前記口体７は、図８の展開図によって示されるように、左右の翼体６、６にそれぞれ中央折り線５とほぼ平行をなす第２の折り線８、８を３本ずつ形成してあり、同第２の折り線８、８における外側寄りの２本の上端部、すなわち第２の折り線８、８と口体７の上縁との交差部分には、それぞれ切り欠き９を設けてある。
【００２９】
また、前記中央折り線５の途中を始点とし、同中央折り線５を軸として各翼体６、６の上縁へ向かってほぼ対象に斜めに延びる折り込み線１０、１０を設けてある。
【００３０】
そして、折り込み線１０、１０の各翼体６、６上縁に位置する各終点の間における同上縁に続けて舌片１４、１４を設けていて、かつ、各翼体６、６と舌片１４、１４は、第２の折込み線１２によって袋１の開口上部２内方または外方に折り曲げることができるようになっている。
【００３１】
前記中央折り線５、第２の中央折り線１３、第２の折り線８、８および折り込み線１０、１０はすべて口体７の外側から見て山折り線で構成されている。
これら山折り線は、口体７の素材シート片面からの型押しで簡単に製作でき、同山折り線の型押しは、表面からの切り込み、筋押し、ミシン目等、口体７の素材に応じて公知の手段で適宜付せばよい。
なお、各折り線および折り込み線は、図中一点鎖線で示した。
【００３２】
またトイレ袋に設けている直線ファスナ３において、図９に示される各翼体を最大に開いた時の各翼体間の最大寸法をＷ、口体下縁と直線ファスナとの間の距離をＨとした場合の寸法比率（Ｗ：Ｈ）を略２：１あるいはＨの寸法をそれ以下にしている。
【００３３】
以下、上述のように構成した本発明のトイレ袋の作用について説明する。
未使用時のトイレ袋は、袋１が平坦に折り畳まれ、かつ口体７もその翼体６、６が前記中央折り線５にて折り畳まれ、さらに舌片１４、１４が第２の中央折り線１３にて折り畳まれて、フラットで携帯に極めて便利な状態としておくことができるようになっている。
【００３４】
そして使用時においては、先ず、図２に示されるように、前記直線ファスナ３を開けて袋１の開口上部２を開くと、各翼体６、６は第２の折り線８、８においてスムースに山折りになり、かつ、各舌片１４、１４も各翼体６、６とともに開いて口全体が筒状をなし、口体７の左右の翼体６、６および左右の舌片１４、１４が離間される。
【００３５】
その後、前記第２の中央折り線１３の上部を開口内外の所望の方向、例えば、開口部上に向けて折り曲げた場合は、図３に示されるように、左右の翼体６、６間に、第２の折込み線１２より折り曲がる舌片１４、１４が入り込んで翼体６、６間の間隔が保持されるとともに、同舌片１４、１４が、使用時の尿の跳ね返りを防止する防止板となる。
【００３６】
そして、前述する左右の翼体６、６間に入り込んでいる第２の折込み線１２より折り曲がっている舌片１４、１４をさらに押し込んで、同舌片１４、１４を翼体６、６面にほぼ接触するまで押し込むことによって、図４に示されるように、翼体６、６間の間隔が保持されるとともに、袋１の開口上部２を広くすることができる。
図４では、前記第２の中央折り線１３の上部を開口内の開口部上に向けて折り曲げているが、開口外に折り曲げる場合もある。
【００３７】
また、図２に示した状態、すなわち口体７の左右の翼体６、６および左右の舌片１４、１４が離間されて袋１の口全体が筒状をなした状態から、舌片１４、１４とともに片部１１を折り込み線１０、１０より開口部上に向けて折り曲げ、そして、舌片１４、１４を開口部の外側に向けて折り曲げることによって、図５に示されるように、翼体６、６間の間隔が保持されるとともに、舌片１４、１４の先端よりが袋１の口より外方に突出して、幼児に使用させる場合に第三者が同袋を保持する摘み部となる。
【００３８】
すなわち、舌片１４、１４、舌片１４、１４および片部１１を適宜に操作することができるのでトイレ袋を使用する際の自由度が高い。
【００３９】
そして、用後においては、前記舌片１４、１４、前記舌片１４、１４および片部１１を、図２に示されるように、元の位置に戻し、さらに図６に示されるように、直線ファスナ３の雌条３ａと雄条３ｂを係合せしめて袋１内を密封する（図７を参照）。
【００４０】
また、トイレ袋に設けている直線ファスナ３を、図９に示したように、Ｗ、Ｈの寸法比率（Ｗ：Ｈ）を略２：１にすれば、トイレ袋を包装する際に、直線ファスナ３を完全に結合して閉じてしまうことなく隙間１６を開けておけば、トイレ袋を使用する際、図１１（ａ）に示されるように、トイレ袋たる袋１の直線ファスナ３の長手方向における口体７の両端を同直線ファスナ３の中央に向けて撓ませる（図中の矢印方向）ことによって、図１１（ｂ）に示されるように、口体７における左右の翼体６、６が離間され、さらに口体７の両端を図中の矢印方向に撓ませて行くことによって同翼体６、６の離間が広がり、かつ同離間に追従して口体７に接続する袋１の本体たる両シートが、隙間１６がきっかけとなって離間して行くとともに、同両シートの離間により、図１１（ｃ）に示されるように、同直線ファスナ３における雌条３ａと雄条３ｂが係合していない部位から直線ファスナ３の雌条３ａと雄条３ｂの係合か解かれて行き、袋１の口をワンタッチで開口させることができる。
前記隙間１６は、直線ファスナの適宜の場所にあればよいが、ほぼ中央に位置するのが好ましい。
【００４１】
また、吸水剤１５は、使用後において袋１内に収容された尿をこの吸水剤１５で吸収保持し、トイレ袋の処理時に尿が漏れ出し難いようにしている。
なお、吸水剤は、例えば和紙等の透水性材よりなる包材の中に吸水性を有する高分子ポリマー等の粉体を収容したものとしてあり、尿等の水分と接触して内容物が膨張することによって包材が破裂、破断して高度の吸水効果が得られるものとしてあって、未使用時に吸水剤の粉が飛散するようなことがないように構成してある。
【００４２】
上述した実施例のものでは、口体７を厚紙で構成しているが、ここでいう厚紙はボール紙等の厚紙そのものや、厚紙の表面に適宜の被覆を施したものも含まれ、そして、厚紙の表面に袋１と同等の素材を被覆したものでは、溶着による袋１への取り付けを容易に行うことができ、また表面の防水性をも得ることができるというメリットがある。
【００４３】
口体７は、折り目を介して折り畳むことができ、適度の保形成を有するシート状の素材であれば、例えば合成樹脂シートや合成紙等を使用する場合もある。
【００４４】
また、前記第２の折り線８、８の本数は、使用時における開口部の広がりに応じて１本ずつしか設けない場合や、２本あるいは４本以上も受ける場合もあり、また第２の折り線８、８上部における切り欠き９は、これらを設けることによって第２の折り線８、８の折り曲げを容易にすることができるのであるが、口体７の素材によっては設けない場合もある。
【００４５】
さらに、第２の中央折り線１３の上部にも切り欠き９を設けて、舌片１４、１４を開く際、より開き易くなるようにする場合もある。
【００４６】
また、口体７を袋１の開口上部の内面ではなく外面に取り付けるようにしてもよく、さらに、口体７は、袋１の開口上部全体を囲むのではなく、一部だけを囲むように翼体の短いものとしたり、短いものの場合は複数の口体を設けたりしてもよい。
【００４７】
また、尿のみならず、吐瀉物を収容する嘔吐袋としても使用できる。
【符号の説明】
【００４８】
１  袋
２  開口上部
３  直線ファスナ
３ａ  雌条
３ｂ  雄条
４  ヒートシール部
５  中央折り線
６  翼体
７  口体
８  第２の折り線
９  切り欠き
１０  折り込み線
１１  片部
１２  第２の折り込み線
１３  第２の中央折り線
１４  舌片
１５  吸水剤
１６  隙間
【図１】
2010284272.tif 000003
【図２】
2010284272.tif 000004
【図３】
2010284272.tif 000005
【図４】
2010284272.tif 000006
【図５】
2010284272.tif 000007
【図６】
2010284272.tif 000008
【図７】
2010284272.tif 000009
【図８】
2010284272.tif 000010
【図９】
2010284272.tif 000011
【図１０】
2010284272.tif 000012
【図１１】
2010284272.tif 000013
【手続補正書】
【提出日】平成21年8月11日(2009.8.11)
【手続補正１】
【補正対象書類名】特許請求の範囲
【補正対象項目名】全文
【補正方法】変更
【補正の内容】
【特許請求の範囲】
【請求項１】
非透水性の材質よりなる袋の開口上部に、適度の可撓性および保形性を有し、前記開口上部の少なくとも一部を囲むシート材よりなる口体を設け、同口体は中央折り線にて前記開口上部を開閉する方向に開きまたは閉じられる左右の翼体を有し、かつ、前記中央折り線の途中を始点とし、各翼体の上縁へ向って中央折り線を軸としてほぼ対称に斜めに延びる折り込み線を有し、さらに、同折り込み線の各翼体上縁に位置する各終点の間における同上縁に続けて、前記中央折り線に続く第２の中央折り線にて前記翼体とともに開閉する左右の舌片を設けて構成してなるトイレ袋。
【請求項２】
前記中央折り線、第２の中央折り線および折り込み線を、すべて山折り線で構成してなる請求項１に記載のトイレ袋。
【請求項３】
前記各翼体に、前記中央折り線とほぼ平行をなす第２の折り線を設けて構成してなる請求項１に記載のトイレ袋。
【請求項４】
前記第２の折り線を山折り線で構成してなる請求項３に記載のトイレ袋。
【請求項５】
前記第２の折り線の上端における口体の上縁に、切り欠きを設けて構成してなる請求項３に記載のトイレ袋。
【請求項６】
前記袋の開口上部における口体下方の相対する内面に、係脱可能な雌条と雄条よりなるシール用の直線ファスナを袋の横幅一杯に設けて構成してなる請求項１に記載のトイレ袋。
【請求項７】
前記直線ファスナは、前記口体下縁と同下方の、前記各翼体を最大に開いた時の各翼体間の最大寸法における略１／２の範囲内に設けて構成してなる請求項６に記載のトイレ袋。
【請求項８】
前記袋の内部に、尿を吸収する吸水剤を収容してなる請求項１に記載のトイレ袋。
【請求項９】
前記口体を厚紙で構成してなる請求項１に記載のトイレ袋。
【請求項１０】
非透水性の材質よりなる袋の開口上部に、適度の可撓性および保形性を有し、前記開口上部の少なくとも一部を囲むシート材よりなる口体を設け、同口体は中央折り線にて前記開口上部を開閉する方向に開きまたは閉じられる左右の翼体を有し、また、前記袋の開口上部における口体下方の相対する内面に、係脱可能な雌条と雄条よりなるシール用の直線ファスナを袋の横幅一杯に設け、かつ同直線ファスナは、前記口体下縁と同下方の、前記各翼体を最大に開いた時の各翼体間の最大寸法における略１／２の範囲内に設けて構成してなるトイレ袋。
【請求項１１】
前記中央折り線の途中を始点とし、各翼体の上縁へ向って中央折り線を軸としてほぼ対称に斜めに延びる折り込み線を有し、かつ、同折り込み線の各翼体上縁に位置する各終点の間における同上縁に続けて、前記中央折り線に続く第２の中央折り線にて前記翼体とともに開閉する左右の舌片を設けて構成してなる請求項１０に記載のトイレ袋。
【請求項１２】
前記中央折り線、第２の中央折り線および折り込み線を、すべて山折り線で構成してなる請求項１１に記載のトイレ袋。
【請求項１３】
前記各翼体に、前記中央折り線とほぼ平行をなす第２の折り線を設けて構成してなる請求項１０に記載のトイレ袋。
【請求項１４】
前記第２の折り線を山折り線で構成してなる請求項１３に記載のトイレ袋。
【請求項１５】
前記第２の折り線の上端における口体の上縁に、切り欠きを設けて構成してなる請求項１３に記載のトイレ袋。
【請求項１６】
前記袋の内部に、尿を吸収する吸水剤を収容してなる請求項１０に記載のトイレ袋。
【請求項１７】
前記口体を厚紙で構成してなる請求項１０に記載のトイレ袋。
【手続補正２】
【補正対象書類名】明細書
【補正対象項目名】全文
【補正方法】変更
【補正の内容】
【発明の詳細な説明】
【技術分野】
【０００１】
本発明は、道路渋滞時等に車輌内で使用できるトイレ袋に関し、より詳しくは、尿を確実に収容して廃棄するのに好適な携帯用トイレ袋に関する。
【背景技術】
【０００２】
小さな子供を連れて自動車で遊びに行く時、道路渋滞等によって所望の時にトイレ休憩をできない場合を考えて、自動車内で使用できるトイレ袋を携帯することがある。
【０００３】
このトイレ袋は、自動車の停車時や走行時に係わりなく尿を確実に収容できるようにするため、袋の口部を確実に開いた状態で保持できるよう袋の口部にある程度の保形性を維持できる筒状の口体を設けたものがある（例えば、特許文献１参照）。
【０００４】
また、トイレ袋は自動車内で使用するだけでなく、外出した時に使用する場合もあることから、トイレ袋にはコンパクトで携帯性が良好であることが求められ、さらにこの要望は物流コストの点からも市場の要望が高いため、前述する袋の口部に設ける口体を折り畳めるように構成しているものもある（例えば、特許文献２参照）。
【０００５】
しかしながら、未使用時の携帯性と使用時における袋の口部の保形性を高い次元で兼ね備えるものは実用化されていなかった。
【先行技術文献】
【特許文献】
【０００６】
【特許文献１】実公昭６２−３１４４号公報（第１、２頁、図１、２）
【特許文献２】特許第３５４４３６７号公報（第１〜１０頁、図１〜１５）
【発明の概要】
【発明が解決しようとする課題】
【０００７】
本発明の目的とするところは、未使用時にはフラットに折り畳むことができて非常にコンパクトで携帯性に優れ、かつ使用時には袋の口部を筒状に安定して保持することができ、しかも構造が簡単で製造コストの低減をも期すことのできるトイレ袋を提供できるようにすることにある。
【課題を解決するための手段】
【０００８】
上述した課題を解決するために、本発明に係るトイレ袋は、非透水性の材質よりなる袋の開口上部に、適度の可撓性および保形性を有し、前記開口上部の少なくとも一部を囲むシート材よりなる口体を設け、同口体は中央折り線にて前記開口上部を開閉する方向に開きまたは閉じられる左右の翼体を有し、かつ、前記中央折り線の途中を始点とし、各翼体の上縁へ向って中央折り線を軸としてほぼ対称に斜めに延びる折り込み線を有し、さらに、同折り込み線の各翼体上縁に位置する各終点の間における同上縁に続けて、前記中央折り線に続く第２の中央折り線にて前記翼体とともに開閉する左右の舌片を設けて構成したものとしてある。
【０００９】
また、前記中央折り線、第２の中央折り線および折り込み線を、すべて山折り線で構成したものとしてある。
【００１０】
また、前記各翼体に、前記中央折り線とほぼ平行をなす第２の折り線を設けて構成し、また前記第２の折り線を山折り線で構成し、また前記第２の折り線の上端における口体の上縁に、切り欠きを設けて構成したものとしてある。
【００１１】
また、前記袋の開口上部における口体下方の相対する内面に、係脱可能な雌条と雄条よりなるシール用の直線ファスナを袋の横幅一杯に設け、また前記直線ファスナは、前記口体下縁と同下方の、前記各翼体を最大に開いた時の各翼体間の最大寸法における略１／２の範囲内に設けて構成したものとしてある。
【００１２】
また、前記袋の内部に、尿を吸収する吸水剤を収容したものとしてある。
【００１３】
さらに、前記口体を厚紙で構成したものとしてある。
【００１４】
トイレ袋を、非透水性の材質よりなる袋の開口上部に、適度の可撓性および保形性を有し、前記開口上部の少なくとも一部を囲むシート材よりなる口体を設け、同口体は中央折り線にて前記開口上部を開閉する方向に開きまたは閉じられる左右の翼体を有し、また、前記袋の開口上部における口体下方の相対する内面に、係脱可能な雌条と雄条よりなるシール用の直線ファスナを袋の横幅一杯に設け、かつ同直線ファスナは、前記口体下縁と同下方の、前記各翼体を最大に開いた時の各翼体間の最大寸法における略１／２の範囲内に設けて構成したものとしてある。
【００１５】
また、前記中央折り線の途中を始点とし、各翼体の上縁へ向って中央折り線を軸としてほぼ対称に斜めに延びる折り込み線を有し、かつ、同折り込み線の各翼体上縁に位置する各終点の間における同上縁に続けて、前記中央折り線に続く第２の中央折り線にて前記翼体とともに開閉する左右の舌片を設けて構成し、また前記中央折り線、第２の中央折り線および折り込み線を、すべて山折り線で構成したものとしてある。
【００１６】
また、前記各翼体に、前記中央折り線とほぼ平行をなす第２の折り線を設けて構成し、また前記第２の折り線を山折り線で構成し、また前記第２の折り線の上端における口体の上縁に、切り欠きを設けて構成したものとしてある。
【００１７】
また、前記袋の内部に、尿を吸収する吸水剤を収容したものとしてある。
【００１８】
さらに、前記口体を厚紙で構成したものとしてある。
【発明の効果】
【００１９】
本発明に係る携帯用トイレ袋によれば、未使用時には翼体と一緒にフラットに折り畳んでコンパクトな状態にしておくことができて携帯性に優れ、しかも使用時には、中央折り線、第２の中央折り線および第２の折り線において翼体がスムースに筒状に広がることができる。
【００２０】
また、翼体の上縁に続けて設けた舌片を袋の内側または外側に向けて折り込むことにより、口体の左右の翼体が離間された状態で維持され、したがって袋の開口上部を開いた状態で安定よろしく維持することができる。
【００２１】
さらに、折込み線と翼体の上縁で囲まれる片部を袋の内側向けて折り曲げることもできるので、同片部の折り曲げ使用とともに、片部上方に続けて設けた舌片を袋の内側または外側に向けて折り曲げ使用することにより、例えば、舌片を袋の内側に向けて折り曲げて使用することで尿の跳ね返りを低減でき、また、袋の外側に向けて折り曲げ使用すれば、幼児に使用させる場合に第三者が同袋を保持する摘み部として利用することもでき、したがって、舌片、片部を適宜に操作することによって袋の開口部に設けた口体の一部を使用者に適する形状に変形させたり、また、第三者によるトイレ袋の保持用摘みとしても利用できて、トイレ袋を使用する際の自由度が高い。
【００２２】
そして、トイレ袋の使用後においては、舌片、片部を元の状態に戻すだけで簡単に口体部分を折り畳むことができる。
【００２３】
また、直線ファスナを、口体下縁と同下方の、各翼体を最大に開いた時の各翼体間の最大寸法における略１／２の範囲内に配設することによって、直線ファスナのほぼ中央を完全に係合しないで少々間隙を開けて同直線ファスナを閉じるようにすれば、トイレ袋における直線ファスナの長手方向における口体の両端を同直線ファスナの中央に向けて撓ませることによって袋の口を即座に開口させることができ、したがって、緊急に使用したい時でも慌てることなくトイレ袋を開口させて使用することができる。
【図面の簡単な説明】
【００２４】
【図１】本発明に係るトイレ袋の実施例を示す正面図。
【図２】口体を開いた状態を示す斜視図。
【図３】舌片を操作して変形させた状態を示す斜視図。
【図４】舌片を操作して変形させた状態を示す斜視図。
【図５】舌片と片部を操作して変形させた状態を示す斜視図。
【図６】図１のＡ−Ａ線断面図。
【図７】直線ファスナを閉じた状態を示す拡大断面図。
【図８】口体の展開図。
【図９】口体を開いた状態を示す斜視図。
【図１０】吸水剤を収容したトイレ袋の実施例を示す正面図。
【図１１】トイレ袋の平面図。
【発明を実施するための形態】
【００２５】
以下、本発明に係るトイレ袋の実施例を、添付図面に示す具体例に基づいて詳細に説明する。
【００２６】
袋１は、例えば合成樹脂等の非透水性の素材よりなる２枚のシートの両側部および下部の三方をヒートシール（ヒートシール部４）して形成したものとしてあって、開口上部２の内面には、係脱可能な雌条３ａと雄条３ｂよりなるシール用の直線ファスナ３を袋の横幅一杯に設けてある。
【００２７】
前記直線ファスナ３の上部には、中央折り線５で二つ折りに形成された左右の翼体６、６と、同翼体６、６の中央上方に続く、前記中央折り線５に続く第２の中央折り線１３で二つ折りに形成された左右の舌片１４、１４を備える例えば厚紙よりなる口体７を取り付けてあって、袋１の開口上部２と翼体６、６および舌片１４、１４が一体となって開閉されるように構成してある。
【００２８】
また、前記口体７は、図８の展開図によって示されるように、左右の翼体６、６にそれぞれ中央折り線５とほぼ平行をなす第２の折り線８、８を３本ずつ形成してあり、同第２の折り線８、８における外側寄りの２本の上端部、すなわち第２の折り線８、８と口体７の上縁との交差部分には、それぞれ切り欠き９を設けてある。
【００２９】
また、前記中央折り線５の途中を始点とし、同中央折り線５を軸として各翼体６、６の上縁へ向かってほぼ対称に斜めに延びる折り込み線１０、１０を設けてある。
【００３０】
そして、折り込み線１０、１０の各翼体６、６上縁に位置する各終点の間における同上縁に続けて舌片１４、１４を設けていて、かつ、各翼体６、６と舌片１４、１４は、第２の折込み線１２によって袋１の開口上部２内方または外方に折り曲げることができるようになっている。
【００３１】
前記中央折り線５、第２の中央折り線１３、第２の折り線８、８および折り込み線１０、１０はすべて口体７の外側から見て山折り線で構成されている。
これら山折り線は、口体７の素材シート片面からの型押しで簡単に製作でき、同山折り線の型押しは、表面からの切り込み、筋押し、ミシン目等、口体７の素材に応じて公知の手段で適宜付せばよい。
なお、各折り線および折り込み線は、図中一点鎖線で示した。
【００３２】
またトイレ袋に設けている直線ファスナ３において、図９に示されるＷ、Ｈの寸法比率（Ｗ：Ｈ）を略２：１にしている。
【００３３】
以下、上述のように構成した本発明のトイレ袋の作用について説明する。
未使用時のトイレ袋は、袋１が平坦に折り畳まれ、かつ口体７もその翼体６、６が前記中央折り線５にて折り畳まれ、さらに舌片１４、１４が第２の中央折り線１３にて折り畳まれて、フラットで携帯に極めて便利な状態としておくことができるようになっている。
【００３４】
そして使用時においては、先ず、図２に示されるように、前記直線ファスナ３を開けて袋１の開口上部２を開くと、各翼体６、６は第２の折り線８、８においてスムースに山折りになり、かつ、各舌片１４、１４も各翼体６、６とともに開いて口全体が筒状をなし、口体７の左右の翼体６、６および左右の舌片１４、１４が離間される。
【００３５】
その後、前記第２の中央折り線１３の上部を開口内外の所望の方向、例えば、開口部上に向けて折り曲げた場合は、図３に示されるように、左右の翼体６、６間に、第２の折込み線１２より折り曲がる舌片１４、１４が入り込んで翼体６、６間の間隔が保持されるとともに、同舌片１４、１４が、使用時の尿の跳ね返りを防止する防止板となる。
【００３６】
そして、前述する左右の翼体６、６間に入り込んでいる第２の折込み線１２より折り曲がっている舌片１４、１４をさらに押し込んで、同舌片１４、１４を翼体６、６面にほぼ接触するまで押し込むことによって、図４に示されるように、翼体６、６間の間隔が保持されるとともに、袋１の開口上部２を広くすることができる。
図４では、前記第２の中央折り線１３の上部を開口内の開口部上に向けて折り曲げているが、開口外に折り曲げる場合もある。
【００３７】
また、図２に示した状態、すなわち口体７の左右の翼体６、６および左右の舌片１４、１４が離間されて袋１の口全体が筒状をなした状態から、舌片１４、１４とともに片部１１を折り込み線１０、１０より開口部上に向けて折り曲げ、そして、舌片１４、１４を開口部の外側に向けて折り曲げることによって、図５に示されるように、翼体６、６間の間隔が保持されるとともに、舌片１４、１４の先端よりが袋１の口より外方に突出して、幼児に使用させる場合に第三者が同袋を保持する摘み部となる。
【００３８】
すなわち、舌片１４、１４、舌片１４、１４および片部１１を適宜に操作することができるのでトイレ袋を使用する際の自由度が高い。
【００３９】
そして、使用後においては、前記舌片１４、１４、前記舌片１４、１４および片部１１を、図２に示されるように、元の位置に戻し、さらに図６に示されるように、直線ファスナ３の雌条３ａと雄条３ｂを係合せしめて袋１内を密封する（図７を参照）。
【００４０】
また、トイレ袋に設けている直線ファスナ３を、図９に示したように、Ｗ、Ｈの寸法比率（Ｗ：Ｈ）を略２：１にすれば、トイレ袋を包装する際に、直線ファスナ３を完全に結合して閉じてしまうことなく隙間１６を開けておけば、トイレ袋を使用する際、図１１（ａ）に示されるように、トイレ袋たる袋１の直線ファスナ３の長手方向における口体７の両端を同直線ファスナ３の中央に向けて撓ませる（図中の矢印方向）ことによって、図１１（ｂ）に示されるように、口体７における左右の翼体６、６が離間され、さらに口体７の両端を図中の矢印方向に撓ませて行くことによって同翼体６、６の離間が広がり、かつ同離間に追従して口体７に接続する袋１の本体たる両シートが、隙間１６がきっかけとなって離間して行くとともに、同両シートの離間により、図１１（ｃ）に示されるように、同直線ファスナ３における雌条３ａと雄条３ｂが係合していない部位から直線ファスナ３の雌条３ａと雄条３ｂの係合か解かれて行き、袋１の口をワンタッチで開口させることができる。
前記隙間１６は、直線ファスナの適宜の場所にあればよいが、ほぼ中央に位置するのが好ましい。
【００４１】
また、吸水剤１５は、使用後において袋１内に収容された尿をこの吸水剤１５で吸収保持し、トイレ袋の処理時に尿が漏れ出し難いようにしている。
なお、吸水剤は、例えば和紙等の透水性材よりなる包材の中に吸水性を有する高分子ポリマー等の粉体を収容したものとしてあり、尿等の水分と接触して内容物が膨張することによって包材が破裂、破断して高度の吸水効果が得られるものとしてあって、未使用時に吸水剤の粉が飛散するようなことがないように構成してある。
【００４２】
上述した実施例のものでは、口体７を厚紙で構成しているが、ここでいう厚紙はボール紙等の厚紙そのものや、厚紙の表面に適宜の被覆を施したものも含まれ、そして、厚紙の表面に袋１と同等の素材を被覆したものでは、溶着による袋１への取り付けを容易に行うことができ、また表面の防水性をも得ることができるというメリットがある。
【００４３】
口体７は、折り目を介して折り畳むことができ、適度の保形成を有するシート状の素材であれば、例えば合成樹脂シートや合成紙等を使用する場合もある。
【００４４】
また、前記第２の折り線８、８の本数は、使用時における開口部の広がりに応じて１本ずつしか設けない場合や、２本あるいは４本以上も受ける場合もあり、また第２の折り線８、８上部における切り欠き９は、これらを設けることによって第２の折り線８、８の折り曲げを容易にすることができるのであるが、口体７の素材によっては設けない場合もある。
【００４５】
さらに、第２の中央折り線１３の上部にも切り欠き９を設けて、舌片１４、１４を開く際、より開き易くなるようにする場合もある。
【００４６】
また、口体７を袋１の開口上部の内面ではなく外面に取り付けるようにしてもよく、さらに、口体７は、袋１の開口上部全体を囲むのではなく、一部だけを囲むように翼体の短いものとしたり、短いものの場合は複数の口体を設けたりしてもよい。
【００４７】
また、尿のみならず、吐瀉物を収容する嘔吐袋としても使用できる。
【符号の説明】
【００４８】
１  袋
２  開口上部
３  直線ファスナ
３ａ  雌条
３ｂ  雄条
４  ヒートシール部
５  中央折り線
６  翼体
７  口体
８  第２の折り線
９  切り欠き
１０  折り込み線
１１  片部
１２  第２の折り込み線
１３  第２の中央折り線
１４  舌片
１５  吸水剤
１６  隙間